(57)【特許請求の範囲】
【請求項１】
軟質材で成形されるとともに、被装着部の被装着面に形成された凹部内へ、該被装着面と略同一平面以内となるように収納可能に設けられ、前記被装着面に形成された正面視略半円弧状で、側断面視略円弧状の曲面凹部に、長手方向端部が臨むハンドルと、
前記凹部内に設けられた支持軸と、
前記ハンドルの長手方向端部に傾斜角を有して形成され、前記支持軸が相対的に移動可能に挿通される軸孔部と、
を備え、
前記曲面凹部側からの前記ハンドルの長手方向端部に対する該長手方向への押圧操作により、前記軸孔部が前記支持軸に対して移動することにより、前記ハンドルが前記凹部から突出することを特徴とする把手。
【請求項２】
前記ハンドルは、前記押圧操作により撓み変形して、前記凹部から突出することを特徴とする請求項１に記載の把手。
【請求項３】
前記ハンドルが分割されるとともに、その分割された一方と他方が軸部によって回動自在に枢支連結され、前記押圧操作により、その分割された一方と他方が前記軸部を中心に互いに逆方向に回動することで、該軸部が前記凹部から突出することを特徴とする請求項１に記載の把手。
【請求項４】
前記ハンドルは、突出方向と逆方向の押圧により、前記凹部内へ収納されることを特徴とする請求項１〜請求項３の何れか１項に記載の把手。
【発明の詳細な説明】
【０００１】
【発明の属する技術分野】
本発明は、机の抽斗、スーツケース等の鞄、各種収納庫、引戸等に取り付けて使用される把手に関し、更に詳しくは、例えば引戸の場合、収納部等に収納された引戸を、その収納部等から引き出すのに使用される把手に関する。
【０００２】
【従来の技術】
従来、引戸には取手が設けられており、その取手を手指でもって引戸の戸面と平行な方向（以下、開放方向あるいは閉塞方向という）へ押し引きすることにより、引戸が敷居上を移動して開口が開閉されるようになっている。そして、その開口開放時における引戸は、引戸の収納部又は引き違いに敷居上に備えられている別の引戸と重なった状態で、かつ、その引戸の端面が収納部の端面や別の引戸の端面と略同一平面になるように収納されることが多い。このため、開口を閉塞するために、引戸を収納部等から引き出すときには、実公平２−４７１６１号公報に開示されているようなハンドルを用いて引き出す方が、使い勝手がよい。
【０００３】
すなわち、図１４で示すように、このハンドル１０４は平面視略半円弧状に形成され、引戸１００の端面１００Ａから戸面１００Ｂにかけて設けられた正面視略半円弧状の凹部１０２内に回動自在に枢支されている。また、そのハンドル１０４内には平面視略半円弧状の切欠凹部１０６が設けられている。そして、図示しないバネによって図示の矢印Ｘ方向に付勢されるとともに、凹部１０２の上部に設けられたストッパー用の係止部１０８に係合する段差部１１０が設けられて構成されている。
【０００４】
したがって、引戸１００を引き出すときには、まず、そのハンドル１０４の上部を押圧し、バネの付勢力に抗して、ハンドル１０４の下部を図示の矢印Ｙ方向へ回動させ、切欠凹部１０６を端面１００Ａから突出させる。そして、その切欠凹部１０６内に手指を挿入してハンドル１０４を引張ることにより、引戸１００を引き出すようにしていた。
【０００５】
【発明が解決しようとする課題】
しかしながら、このような構成であると、ハンドル１０４の上部を押圧しながら、ハンドル１０４の下部における切欠凹部１０６内に手指を挿入しなければならないため、片手での操作がし難いという問題がある。しかも、そのハンドル１０４を回動させる際、上部を押圧するのか、下部を押圧するのか一目では判断し難く、かつ、ハンドル１０４を突出させるために押圧する押し込みストロークも長い。また、バネが必要となる分、組み付け作業が煩瑣になる。
【０００６】
そこで、本発明は、このような問題点に鑑み、簡単な構成でありながら、片手で簡単に引き出し操作ができる把手を得ることを目的とする。
【０００７】
【課題を解決するための手段】
上記の目的を達成するために、本発明に係る請求項１に記載の把手は、軟質材で成形されるとともに、被装着部の被装着面に形成された凹部内へ、該被装着面と略同一平面以内となるように収納可能に設けられ、前記被装着面に形成された正面視略半円弧状で、側断面視略円弧状の曲面凹部に、長手方向端部が臨むハンドルと、前記凹部内に設けられた支持軸と、前記ハンドルの長手方向端部に傾斜角を有して形成され、前記支持軸が相対的に移動可能に挿通される軸孔部と、を備え、前記曲面凹部側からの前記ハンドルの長手方向端部に対する該長手方向への押圧操作により、前記軸孔部が前記支持軸に対して移動することにより、前記ハンドルが前記凹部から突出することを特徴としている。
【０００８】
このような構成にすると、ハンドルの長手方向端部に対するその長手方向への押圧操作により、ハンドルは、その両端部の少なくとも一方が移動して、簡単に凹部から突出する。しかして、その突出したハンドルを把持して引くことにより、例えば引戸の場合には、収納部等から片手で簡単に引戸を引き出すことができる。また、ハンドルの長手方向端部は、正面視略半円弧状で、側断面視略円弧状の曲面凹部に臨んでいるので、手指でハンドルの長手方向端部をスムーズに押圧することができる。また、ハンドルは軟質材で成形されているので、例えば引戸の場合、その引戸を閉めたとき、突出しているハンドルが開口の端面に衝突しても、その端面を傷つけるようなことはなく、そのときの衝突音も低減される。
【０００９】
また、請求項２に記載の把手は、請求項１に記載の把手において、前記ハンドルが、前記押圧操作により撓み変形して、前記凹部から突出することを特徴としている。このような構成にすると、ハンドルに対する長手方向からの押圧量を撓み変形量に変換できるので、ハンドルを突出させるための押し込みストロークが短くて済む。
【００１０】
また、請求項３に記載の把手は、請求項１に記載の把手において、前記ハンドルが分割されるとともに、その分割された一方と他方が軸部によって回動自在に枢支連結され、前記押圧操作により、その分割された一方と他方が前記軸部を中心に互いに逆方向に回動することで、該軸部が前記凹部から突出することを特徴としている。このような構成にすると、ハンドルに対する長手方向からの押圧量を、分割されて枢支連結された一方と他方の回動量に変換できるので、ハンドルを突出させるための押し込みストロークが短くて済む。
【００１１】
そして、請求項４に記載の把手は、請求項１〜請求項３の何れか１項に記載の把手において、前記ハンドルが、突出方向と逆方向の押圧により、前記凹部内へ収納されることを特徴としている。
【００１２】
このような構成にすると、例えば引戸の場合、その引戸を閉めるだけで、ハンドルを凹部内に収納させることができる。つまり、引戸を閉めると、ハンドルは開口の端面によって突出方向と逆方向に押圧されるので、自動的に凹部内に収納されることになる。したがって、ハンドルを収納させるためのバネ機構等が不要となり、構成を単純化できる。
【００１３】
【発明の実施の形態】
以下、本発明の実施の形態を図面に示す引戸に設けた場合の実施例を基に詳細に説明する。なお、説明の便宜上、図１において、引戸１０の手前側の戸面を表面とし、その反対側の戸面を引戸１０の裏面とするが、実際には表裏の区別は特にない。また、この引戸１０は、引き違いに敷居１１上に備えられている別の引戸１２に向かって移動することにより開口１６を開放するものとし、引戸１２が図６、図７で示すような壁（収納部）１４の内側にすでに収納されている場合には、その引戸１２と壁１４の間に収納されるものとする。
【００１４】
図１乃至図５で示すように、引戸１０の端面１０Ａには略矩形状の穴部１０Ｂが穿設されており、その穴部１０Ｂ内に把手２０が設けられる。把手２０は、被装着部としてのケース２２を備え、そのケース２２の縁面２２Ａが引戸１０の端面１０Ａと略同一平面以内になるように穴部１０Ｂ内に埋設されている。また、ケース２２の外方側の上端部及び下端部には取付部２４が一体に延設されており、この取付部２４には、ケース２２を穴部１０Ｂ内に取り付けるためのネジ１８が挿通可能なネジ孔２４Ａが穿設されている。そして、取付部２４の基端側には正面視略半円弧状で、側断面視略円弧状の曲面凹部２６が形成されている。
【００１５】
また、ケース２２の取付部２４を除く外方側には、ハンドル５０を収納するための収納凹部３０が形成されており、その収納凹部３０内の上端部及び下端部にはベース板４０を取り付けるための取付凹部３２が更に形成されている。取付凹部３２の略中央には円形凹部３４が形成されており、その円形凹部３４の中央にはネジ２８を挿通させるネジ孔３４Ａが穿設されている。そして、その円形凹部３４の近傍には嵌合孔３６が、上端部及び下端部にそれぞれ２個ずつ穿設されている。
【００１６】
ベース板４０は、ケース２２の取付凹部３２内に取り付けられる略矩形板状に形成されており、その外面にはハンドル５０の上端部５０Ａ及び下端部５０Ｂを取り付ける支持部４２が一体に突設されている。この支持部４２は、ベース板４０の外面に一体に突設される支持台４２Ａと、その支持台４２Ａの先端に一体に横設される略円柱状の支持軸４２Ｂとで構成されており、平面視で略「Ｔ」字状に形成されている。
【００１７】
また、ベース板４０の内面には円形凹部３４に嵌合可能な円形凸部４４が形成されており、この円形凸部４４の中央から支持台４２Ａ内にかけてネジ２８が螺合される非貫通のネジ穴４４Ａが穿設されている。そして、その円形凸部４４の近傍には、嵌合孔３６に挿嵌可能な嵌合突起４６が２個突設されている。
【００１８】
したがって、ベース板４０は、ケース２２の取付凹部３２に形成された円形凹部３４に円形凸部４４を嵌合させるとともに嵌合孔３６に嵌合突起４６を挿嵌し、ケース２２内方側の上端部及び下端部に形成された凹部３８側からネジ２８をネジ孔３４Ａ及びネジ穴４４Ａに挿通して螺合することにより、ケース２２に取付固定される。
【００１９】
一方、ハンドル５０は手指で把持可能な細長い平板状に、ＴＰＥ（熱可塑性ゴム）等の軟質材で成形されており、その上端部５０Ａ及び下端部５０Ｂに穿設された軸孔部５４に、ベース板４０の支持軸４２Ｂを挿通することにより、ケース２２の収納凹部３０内に収納可能に取り付けられるようになっている。すなわち、このハンドル５０の上端部５０Ａ及び下端部５０Ｂには、図３で示すように、中央に凹部４８が形成されるとともに、その凹部４８の両側に取付部５２が形成されており、この取付部５２には側面視略楕円形状の軸孔部５４が穿設されている。
【００２０】
この軸孔部５４は、図３（Ｃ）で示すように、側面視で上端部５０Ａ側は上端が、下端部５０Ｂ側は下端が、それぞれ内方側（図２においてケース２２側）に向くように、所定角度α（例えば、約１０°）傾斜しており、ベース板４０の支持軸４２Ｂが凹部４８側から嵌入することにより、ベース板４０にハンドル５０の上端部５０Ａ及び下端部５０Ｂが取付支持されるようになっている。なお、このとき、支持軸４２Ｂは、軸孔部５４が側面視略楕円形状に穿設されていることから、容易に嵌入される。
【００２１】
そして、図４で示すように、ハンドル５０が収納凹部３０内に収納されているときには、そのハンドル５０の外面がケース２２の縁面２２Ａ（引戸１０の端面１０Ａ）と略同一平面か、又はその縁面２２Ａ（端面１０Ａ）よりも内側に収納され、支持軸４２Ｂが軸孔部５４の上下方向内側（上端部５０Ａは下端側、下端部５０Ｂは上端側）にそれぞれ位置している。
【００２２】
しかして、収納凹部３０の深さは、ハンドル５０の厚さと略同じか、それよりも若干大きい程度で済み、ケース２２の奥行き（埋設される部分の高さ）もそれほど必要としないため、引戸１０の端面１０Ａに穿設する穴部１０Ｂの深さが従来に比べて浅くて済む。つまり、引戸１０の端面１０Ａに設ける把手２０の深さ方向の取付スペースを削減することができる。
【００２３】
一方、ハンドル５０をケース２２の縁面２２Ａ（引戸１０の端面１０Ａ）から突出させる際には、その上端部５０Ａ又は下端部５０Ｂをハンドル５０の長手方向に押圧する。すなわち、例えばハンドル５０の上端部５０Ａを下方に向けて押圧し、軸孔部５４内における支持軸４２Ｂを上下方向内側から外側（上端側）に向かって相対的にスライド移動させる。
【００２４】
すると、その軸孔部５４は所定角度α傾斜しているので、ハンドル５０は外方側に向かって押し出され、かつ、これに伴って、ハンドル５０の下端部５０Ｂにおける支持軸４２Ｂも軸孔部５４内を上下方向内側から外側（下端側）に向かって相対的にスライド移動するので、図５で示すように、ハンドル５０が側面視略円弧状に撓み変形し、ケース２２の縁面２２Ａ（引戸１０の端面１０Ａ）より突出する。
【００２５】
また、図２で示すように、このハンドル５０の上端部５０Ａ及び下端部５０Ｂにはカバー６０が被装されるようになっている。このカバー６０は、側面視略「Ｄ」字状に形成され、上端部５０Ａの上方及び下端部５０Ｂの下方からそれぞれ被装可能なように、それらと対向する面側が開口している。また、カバー６０の両側部内面には、軸孔部５４と略同形状の嵌合凹部６２が形成されており、軸孔部５４を通って取付部５２の外方へ突出している支持軸４２Ｂの先端が嵌入可能になっている。
【００２６】
更に、そのカバー６０の両側部内面における開口側の端部には、ハンドル５０の上端部５０Ａ及び下端部５０Ｂの両側方にそれぞれ形成された溝部５６（図３参照）に係合する係合突起６４が突設されている。そして、カバー６０の内方側の壁部には、支持台４２Ａを許容する切欠部６８が形成されており、その壁部の内面で、開口側の端部には係合突起６６が突設されている。
【００２７】
しかして、このカバー６０をハンドル５０の上端部５０Ａ及び下端部５０Ｂに被装する際には、その上端部５０Ａ及び下端部５０Ｂの両側方に形成された溝部５６に係合突起６４を係合させながら開口側からスライド移動させる。すると、その溝部５６内に突設された係止突起５８に、それを乗り越えた係合突起６４が係止され、かつ、係合突起６６が取付部５２の内面側に形成された段差部５３に係止されて、カバー６０がハンドル５０の上端部５０Ａ及び下端部５０Ｂにそれぞれ取り付けられる。
【００２８】
以上のような構成の把手２０において、次に、その一連の作用について図６乃至図８を基に説明をする。開口１６を閉塞する際には、ケース２２の縁面２２Ａ（引戸１０の端面１０Ａ）と略同一平面以内に収納されているハンドル５０をその縁面２２Ａ（端面１０Ａ）より引き出す。すなわち、ハンドル５０はＴＰＥ（熱可塑性ゴム）等の軟質材で成形されているので、その上端部（カバー６０の上端部）を、図６で示すように、手指で下方に向けて押圧し、側面視略円弧状に撓み変形させる。なお、ハンドル５０の下端部を上方に向けて押圧してもハンドル５０を同様に撓み変形させられることは言うまでもない。
【００２９】
こうして、ハンドル５０を側面視略円弧状に撓み変形させ、ケース２２の収納凹部３０内、即ちケース２２の縁面２２Ａ（引戸１０の端面１０Ａ）から突出させたら、手指でそのハンドル５０を把持して引戸１０を引張る。すると、図７で示すように、引戸１０が引戸１２と壁１４の間から引き出され、図８で示すような取手７０が現出される。取手７０が現出したら、今度はその取手７０を使って引戸１０を閉めるが、このとき、ハンドル５０が側面視で引戸１０の端面１０Ａから突出した状態のままになっていても、開口１６の閉塞が可能である。
【００３０】
つまり、図８で示すように、ハンドル５０が突出した状態のまま、引戸１０を閉塞方向へ移動させ、開口１６を形成する端面１６Ａにその端面１０Ａを当接させても、ハンドル５０は軟質材であるので、その端面１６Ａを傷つけることはなく、かつ、そのハンドル５０は、突出する方向と反対の方向に加える押圧力により、簡単に撓み変形してケース２２の収納凹部３０内に収納されるので、引戸１０を閉めるだけで簡単にケース２２内に収納される。
【００３１】
したがって、ハンドル５０をケース２２の収納凹部３０内に収納し忘れても、安心して引戸１０を閉めることができる。しかも、このハンドル５０は、引戸１０の端面１０Ａ（ケース２２の縁面２２Ａ）と略同一平面以内、即ちその端面１０Ａ（縁面２２Ａ）と略同一平面か、又はその端面１０Ａ（縁面２２Ａ）よりも内側になるように収納凹部３０内に収納されるので、引戸１０を閉めて開口１６を閉塞したときに、その開口１６の端面１６Ａに引戸１０の端面１０Ａを隙間なく当接させることができ、開口１６を完全に閉塞することができる。なお、引戸１０を開けるときには、ハンドル５０は収納凹部３０内に収納されたままの状態になっているので、邪魔になるようなことはない。
【００３２】
このように、ハンドル５０は軟質材で成形され、かつ、その上下両端部が傾斜角度αの軸孔部５４によって互いに接近する方向へスライド移動可能とされているので、長手方向からの押圧により簡単に撓み変形し、更に、収納凹部３０の深さがハンドル５０の厚さと略同じか、それよりも若干大きい程度なので、ケース２２の収納凹部３０内、即ちケース２２の縁面２２Ａ（引戸１０の端面１０Ａ）から側面視略円弧状に容易に突出される。そして、その突出方向と反対方向（逆方向）の押圧により簡単に撓み変形してケース２２の収納凹部３０内に収納される。しかして、従来のような収納のためのバネ機構等が不要となり、構成を単純化することができる。
【００３３】
また、ハンドル５０は軟質材で成形されていることから、開口１６の端面１６Ａに衝突させても、その衝突音を低減させることができる。更に、ケース２２には曲面凹部２６が形成されているので、手指はハンドル５０の端部をスムーズに押圧することができ、かつ、その端部への押圧量がハンドル５０の撓み変形量に変換されるだけなので、突出のための押し込みストロークが短くて済む。
【００３４】
以上のような把手２０において、次にその変形例について図９乃至図１３を基に説明する。なお、上記実施例と同等なものには同じ符号を付してその説明を省略する。また、この変形例における一連の作用についても上記実施例と同様であるので、その詳細な説明を省略する。図９、図１０で示すように、この変形例では、ハンドル５０の軸孔部５４内の形状が上端部５０Ａと下端部５０Ｂとでは異なっている。
【００３５】
すなわち、この図示のものは上端部５０Ａを押圧するようになっているので、押圧されない下端部５０Ｂの軸孔部５４内に、上端部５０Ａを押圧したときに、支持軸４２Ｂが軸孔部５４内を移動しないように規制する規制壁５５が形成されている。このように押圧されない方のハンドル５０端部の軸孔部５４内に規制壁５５を設けて、支持軸４２Ｂが軸孔部５４内においてスライド移動しないように規制すると、他方のハンドル５０端部の押圧により、ハンドル５０を容易に撓ませることが可能となる。
【００３６】
つまり、図１１、図１２で示すように、ハンドル５０の上端部５０Ａを下方に向けて押圧すると、下端部５０Ｂにおいて支持軸４２Ｂは（軸孔部５４内をスライド移動することなく）固定されているので、上端部５０Ａにおいてのみ、支持軸４２Ｂが軸孔部５４内を上下方向内側から外側（上端側）に相対的にスライド移動する。すると、ハンドル５０の上端部５０Ａがその分下方に移動するので、ハンドル５０は外方側へ向かってスムーズに撓み変形させられる。しかして、上記実施例の場合に比べて、ハンドル５０を容易にケース２２の収納凹部３０内、即ちケース２２の縁面２２Ａ（引戸１０の端面１０Ａ）から側面視略円弧状に突出させることができる。
【００３７】
また、更に別の変形例を説明すると、図１３で示すように、例えば上端部５０Ａの近傍でハンドル５０を分割し、その分割した部分を、軸部５７を介して回動自在に枢支連結するようにしてもよい。この場合、ハンドル５０が軟質材である必要はないが、軟質材である方が好ましい。また、このハンドル５０においても、押圧されない下端部５０Ｂの軸孔部５４内には、上記変形例と同様の規制壁５５が形成されることが望ましい。このような構成のハンドル５０は、上記変形例と同様に、上端部５０Ａを下方に向けて押圧することにより、簡単にハンドル５０をケース２２の縁面２２Ａ（引戸１０の端面１０Ａ）から突出させることができる。
【００３８】
すなわち、ハンドル５０の上端部５０Ａを下方に向けて押圧すると、下端部５０Ｂにおいて支持軸４２Ｂは（軸孔部５４内をスライド移動することなく）固定されているので、上端部５０Ａにおいてのみ、支持軸４２Ｂが軸孔部５４内を上下方向内側から外側（上端側）に相対的にスライド移動する。すると、ハンドル５０の上端部５０Ａがその分下方に移動するので、ハンドル５０は、図１３（Ａ）で示すように、軸部５７を中心として、上側（枢支部）が反時計方向、下側が時計方向の上下逆方向に回動し、その枢支連結部分が外方側へ突出する。しかして、上記実施例の場合に比べて、ハンドル５０を容易にケース２２の収納凹部３０内、即ちケース２２の縁面２２Ａ（引戸１０の端面１０Ａ）から突出させることができる。
【００３９】
なお、上記実施例及び変形例において、図１３（Ｂ）で示すように、上側（押圧する側）の曲面凹部２６を下側（押圧しない側）よりも広く形成し、その面に押圧方向を示す矢印６９を表示すると、使用者が把手２０、即ちハンドル５０の使い方を一目で把握できるので好ましい。また、上記変形例において、下端部５０Ｂの軸孔部５４を側面視略円形状にして、規制壁５５を設けないようにしてもよいが、軸孔部５４を側面視略楕円形状にして、規制壁５５を設けるようにした方が、支持軸４２Ｂを軸孔部５４に容易に嵌め込むことができるので好ましい。
【００４０】
何れにしても、本発明に係る把手２０は、上記実施例及び変形例で説明した引戸１０以外に、机の抽斗やスーツケース等の鞄、各種収納庫等の把手として好適に使用できる。したがって、その適用範囲は広い。
【００４１】
【発明の効果】
以上、本発明によれば、把手のハンドルを片手で簡単に凹部から突出させることができる。したがって、例えば引戸に用いた場合、片手で簡単に引戸を収納部等から引き出すことが可能となる。
【図面の簡単な説明】
【図１】本発明に係る把手を備えた引戸全体を示す概略斜視図
【図２】本発明に係る把手の分解斜視図
【図３】（Ａ）本発明に係る把手のハンドル端部の背面図
（Ｂ）本発明に係る把手のハンドル端部の平面図
（Ｃ）本発明に係る把手のハンドル端部の側面図
【図４】本発明に係る把手のハンドル収納状態を示す概略側断面図
【図５】本発明に係る把手のハンドル引出状態を示す概略側断面図
【図６】本発明に係る把手を備えた引戸を別の引戸と壁の間に収納した様子を示す概略斜視図
【図７】本発明に係る把手を備えた引戸を別の引戸と壁の間から引き出す様子を示す概略斜視図
【図８】本発明に係る把手を備えた引戸により開口を閉塞する様子を示す概略斜視図
【図９】本発明に係る別実施例把手の分解斜視図
【図１０】（Ａ）本発明に係る別実施例把手のハンドル端部の背面図
（Ｂ）本発明に係る別実施例把手のハンドル端部の平面図
（Ｃ）本発明に係る別実施例把手のハンドル端部の側面図
【図１１】本発明に係る別実施例把手のハンドル収納状態を示す概略側断面図
【図１２】本発明に係る別実施例把手のハンドル引出状態を示す概略側断面図
【図１３】（Ａ）本発明に係る別実施例把手のハンドル引出状態を示す概略側断面図
（Ｂ）本発明に係る別実施例把手のハンドルの概略正面図
【図１４】従来の把手を備えた引戸を示す概略斜視図
【符号の説明】
１０  引戸
２０  把手
２２  ケース（被装着部）
５０  ハンドル
【図１】
0004175804.tif 000002
【図２】
0004175804.tif 000003
【図３】
0004175804.tif 000004
【図４】
0004175804.tif 000005
【図５】
0004175804.tif 000006
【図６】
0004175804.tif 000007
【図７】
0004175804.tif 000008
【図８】
0004175804.tif 000009
【図９】
0004175804.tif 000010
【図１０】
0004175804.tif 000011
【図１１】
0004175804.tif 000012
【図１２】
0004175804.tif 000013
【図１３】
0004175804.tif 000014
【図１４】
0004175804.tif 000015